(57)【要約】【課題】  設置面積の減少を可能とする。【解決手段】ボックス本体８aに預入部１、払出部２、入力部３a、及び処理部５aを設けたゲームセンター用コイン預かり装置であって、前記預入部１は、前記ボックス本体８aに設けられたコイン投入部１１から投入されたコインaを計数機構１２で計数して受け入れ、前記払出部２は、前記計数機構１２から前記コインaを受け入れ該コインaをコイン貯蔵部２１に貯蔵すると共にコイン計数排出機構２２により所定数のコインaをコイン貯蔵部２１から前記ボックス本体８aに設けられたコイン払出部２３へ排出し、前記入力部３aは、装置使用者の掌紋又は指紋を検知し、前記処理部５aは、前記計数機構１２の計数データに基づき前記コイン計数排出機構２２の排出を制御することを特徴とする。【選択図】図２
2005052661.tif 000002
【特許請求の範囲】
【請求項１】
コイン投入部から投入されたコインを計数して受け入れる計数機構と、
前記計数機構から前記コインを受け入れ該コインを貯蔵するコイン貯蔵部と、
前記コイン貯蔵部から所定数のコインを排出するコイン計数排出機構と、
前記計数機構の計数データに基づき前記コイン計数排出機構の排出を制御する処理部とを備えた
ことを特徴とするゲームセンター用コイン預かり装置。
【請求項２】
請求項１記載のゲームセンター用コイン預かり装置であって、
前記コイン貯蔵部は、前記コインを整列状態で貯蔵する
ことを特徴とするゲームセンター用コイン預かり装置。
【発明の詳細な説明】
【技術分野】
【０００１】
本発明は、ゲームセンターに配置する当該ゲームセンター専用のコインを預かるゲームセンター用コイン預かり装置に関するものである。
【背景技術】
【０００２】
ゲームセンターは、各種のゲーム機器を備えており、プレイヤー（顧客）は、ゲームセンター独自のコインに両替し、使用したいゲーム機に当該コインを所定数投入し、当該ゲーム機を遊戯に供するものである。
【０００３】
ところで、ゲーム機によってはコインが増加して戻る機器もあり、両替したコインを全て使用しないでゲーム機による遊戯を取り止める場合がある。
【０００４】
その際コインは、ゲームセンター外への持ち出しは禁止されている。即ちコインは一定の貨幣価値を具備しているので、ゲームセンター外でのコインの譲渡は明らかに法で禁止されている賭博行為となるからである。
【０００５】
そこでコインが余った場合には、ゲームセンターで預かり、当該者の次回の入場の際に、預かっているコインの払出しを行っているものであり、この預入払出の手続きは、ゲームセンターの職員の手で行われている。
【０００６】
前記のコイン預入払出は、必ず預け入れた本人にしなければならないもので、本人以外への払出しは当然賭博扱いとなってしまう。現状は預入払出を人間の手で行い、預入払出業務に携わる職員による本人確認を行っている。この預入払出業務を無人化する為に、従前より広く銀行等で使用されている自動払出し装置を使用することが考えられる。しかし、従来の自動払出装置は、口座番号と暗証番号との一致で本人確認をしているので、前記装置をゲームセンター用コインの預け入れ装置に適用しても、暗唱番号等の告知を伴う店外譲渡が可能で、賭博行為を防止することができない。
【０００７】
一方、賭博行為を防止できるものとして、預入時に投入された個数を数え、払出時に、入力された指紋と管理装置に登録されている指紋データとが一致すると管理装置に記憶されている預入時の個数に基づいてメダル等を払い出す遊戯用具管理装置及びシステムがある。
【０００８】
しかし、上記装置は、預かりシステムと払い出し販売システムとが別個のものとして併設され、設置スペースが増大するという問題があった。
【０００９】
【特許文献１】特開平５−２１６８６５号公報
【発明の開示】
【発明が解決しようとする課題】
【００１０】
解決しようとする問題点は、設置スペースが増大する点である。
【課題を解決するための手段】
【００１１】
本発明は、設置スペースの減少を可能とするため、コイン投入部から投入されたコインを計数して受け入れる計数機構と、前記計数機構から前記コインを受け入れ該コインを貯蔵するコイン貯蔵部と、前記コイン貯蔵部から所定数のコインを排出するコイン計数排出機構と、前記計数機構の計数データに基づき前記コイン計数排出機構の排出を制御する処理部とを備えたことを最も主要な特徴とする。
【発明の効果】
【００１２】
本発明のゲームセンター用コイン預かり装置は、コイン投入部から投入されたコインを計数して受け入れる計数機構と、前記計数機構から前記コインを受け入れ該コインを貯蔵するコイン貯蔵部と、前記コイン貯蔵部から所定数のコインを排出するコイン計数排出機構と、前記計数機構の計数データに基づき前記コイン計数排出機構の排出を制御する処理部とを備えたため、計数機構が計数したコインをコイン貯蔵部に貯蔵し、このコイン貯蔵部から処理部の制御によりコイン計数排出機構がコインを払い出すことができ、全体をコンパクトに形成し設置スペースを減少させることができる。
【００１３】
前記コイン貯蔵部が、前記コインを整列状態で貯蔵する場合は、多くのコインを貯蔵しながらコイン貯蔵部を小型にすることが可能であり、全体をよりコンパクトに形成することができる。計数機構で計数してコイン貯蔵部に貯蔵するため整列貯蔵を迅速に行うことができる。コイン貯蔵部からコイン計数排出機構により計数排出する場合にも排出を迅速に行わせることができる。
【発明を実施するための最良の形態】
【００１４】
設置スペースの減少を図るという目的を、簡単な構造で実現した。
【実施例１】
【００１５】
次に本発明の実施例について説明する。
【００１６】
図１及び図２は本発明の実施例を示したもので、この実施例のゲームセンター用コインの預かり装置は、独立したボックスタイプの装置で、預入部１、払出部２、処理部５ａ、指示表示部６、カード入力部３３ａ、光学入力部３２ａ、カード発行部７ａをボックス本体８ａに組み込んだものである。
【００１７】
預入部１は、ボックス本体８ａの表面に設けたコイン投入部１１と、投入されたコインａを計数する計数機構１２からなり、払出部２は、投入されたコインを整列状態で貯蔵するコイン貯蔵部２１と、処理部５ａの制御で所定数のコインを貯蔵部２１から排出するコイン計数排出部２２と、ボックス本体８ａの表面にコインの取り出しを可能としたコイン払出部２３からなる。
【００１８】
入力部３ａは、コインの預入払出を行おうとする者の意思を入力するための入力スイッチ３１ａと、装置使用者の掌紋を検知するイメージスキャナ（光学入力部）３２ａと、磁気カードＡのデータを読み取るカードリーダーを備えたカード入力部３３ａから構成される。
【００１９】
カード発行部７ａは、イメージスキャナ３２ａのデータ並びに、預入部１の計数データを磁気メモリとしてカードＡに記録して、カードＡを預入者に発行するものである。
【００２０】
処理部５ａは、適当な処理能力を備えたＣＰＵで、適宜なプログラムを組み込んだパソコンを利用しても良く、前記の預入部１、払出部２、入力部３ａ、指示表示部６、カード発行部７ａの動作制御並びに、カード入力部３３ａ入力と、イメージスキャナ３２からのイメージデータの一致の判別を行うものである。
【００２１】
指示表示部６は、ボックス本体８ａに設けた適宜な表示機で、使用者に使用手順を指示するものであり、コインを預け入れようとする者は、指示表示部６の指示で、入力スイッチ３１ａより装置作動を指示し、指示表示部６は、投入部１１へのコインａの投入並びにイメージスキャナ３２ａ上へ掌を載置することを指示する。
【００２２】
預入者が前記指示表示部６指示通りに実施すると、装置は投入されたコイン（預入コイン）ａを計数し、掌紋イメージデータと、預入コイン数を磁気カードＡに記録して、発行部７ａから発行される。
【００２３】
次に払い戻しに際しては、同様に指示表示部６の指示による入力スイッチ３１ａを操作し、預入時に発行された磁気カードＡをカード入力部３３ａに差し込み、カードリーダーで当該カードの磁気粗記録を読み取り、同様に掌をイメージスキャナ３２ａ上に載置すると、当該カードの掌紋データとイメージスキャナ３２ａの掌紋イメージの一致を確認し、預入コインの払出が行われるものである。
【００２４】
この払出は、預入コイン全額でも良いが入力スイッチ３１ａからの信号で、残高を残して払出を終了しても良くその際は、残高並びに預入者の掌紋等の光学データを記録した磁気カードを発行するものである。
【００２５】
従って預入者が第三者に預入コインの権利を店外で自由に譲渡できず、必ず預入者本人でなければ預入コインの払出しができないので、賭博行為が発生する虞がなく、且つ預入払出の自動化が実現したものであり、装置に預入者の掌紋や指紋の光学データを保持しておくメモリ部を必要としない利点がある。
【図面の簡単な説明】
【００２６】
【図１】本発明の実施例装置の外観図。
【図２】同実施例装置の構成を示すブロック図。
【符号の説明】
【００２７】
５ａ  処理部
１２  計数機構
２１  コイン貯蔵部
２２  計数排出機構
【図１】
2005052661.tif 000003
【図２】
2005052661.tif 000004